(57)【要約】【課題】光ディスク装置に用いる光ピックアップの成型において、金属カバーを用いることなく、ＦＰＣのたるみをなくし、光ピックアップ内部に構成される光学部材を保護する。【解決手段】光ピックアップの筐体の光ディスクと対向する面の少なくとも一部の部分に、ＰＷＢ（プリント配線板）を上部カバーとして使用する。そして、ＰＷＢ（プリント配線板）により、光ピックアップの内部の部品を密封し、ＦＰＣ（フレキシブル基板）のたわみを抑えるようにする。また、プリント配線板に、光ピックアップの外部の回路と接続するためのＦＰＣを装着するためのコネクタを設ける。【選択図】  図４Ａ
2013145613.tif 000002
【特許請求の範囲】
【請求項１】
光ディスクを回転させ、光ピックアップよりレーザ光を照射して情報の記録・再生をおこなう光ディスク装置において、
前記光ピックアップの筐体の前記光ディスクと対向する面の少なくとも一部の部分に、プリント配線板を上部カバーとして使用し、
前記プリント配線板により、前記光ピックアップの内部の部品を密封するようにしたことを特徴とする光ディスク装置。
【請求項２】
前記プリント配線板に、前記光ピックアップの外部の回路と接続するための配線部材を装着するためのコネクタを設けたことを特徴とする請求項１記載の光ディスク装置。
【請求項３】
光ディスクを回転させ、光ピックアップよりレーザ光を照射して情報の記録・再生をおこなう光ディスク装置の光ピックアップにおいて、
前記光ピックアップの筐体の前記光ディスクと対向する面の少なくとも一部の部分に、プリント配線板を上部カバーとして使用し、
前記プリント配線板により、前記光ピックアップの内部の部品を密封するようにしたことを特徴とする光ピックアップ。
【請求項４】
前記プリント配線板に、前記光ピックアップの外部の回路と接続するための配線部材を装着するためのコネクタを設けたことを特徴とする請求項３記載の光ピックアップ。
【発明の詳細な説明】
【技術分野】
【０００１】
本発明は、光ディスク装置、および、それに用いる光ピックアップに係り、特に、ノート型パーソナルコンピュータなどに搭載される薄型の形状のモデルに好適であって、安価で製造が容易な光ディスク装置、それに用いる光ピックアップに関する。
【背景技術】
【０００２】
従来より、デジタル情報を読み出し、書き込む装置としてＣＤ（Compact Disk）ドライブ装置、ＤＶＤ(Digital Versatile Disk)ドライブ装置、特に、最近では、ＢＤ（Blu−ray Disc）ドライブ装置などの光ディスク装置が広く普及している。
【０００３】
これらの光ディスク装置は、ドライブに内蔵されたスピンドルモータによって光ディスクを回転させ、光ディスクに対して、光ピックアップに内蔵されている光源であるレーザーダイオードからレーザ光を照射し、反射した光をピックアップレンズにより読み取り、それを情報として認識する。
【０００４】
光ピックアップは、このようにレーザ光源と、受光部品、精密メカ部品からなる光ディスク装置における最重要部品であるといってよい。
【０００５】
特に、近年は、ノート型パーソナルコンピュータの流行により、装置自体が軽量化、スリム化して、光ピックアップも薄型のものが開発されている。
【０００６】
例えば、非特許文献１の第１図には、スリムＢＤドライブの光ピックアップの写真が開示されている。また、特許文献１の図２にも、光ピックアップの形状が開示されている。
【先行技術文献】
【特許文献】
【０００７】
【特許文献１】特開２０１１−１６５２５１号公報
【非特許文献】
【０００８】
【非特許文献１】堀之内、外２名、”１２．７ｍｍ厚スリム型ＢＤドライブ”、[online]、Panasonic Technical Journal, Vol. 54, No. 3, Oct 2008、[平成２３年１２月２８日検索]、インターネット＜ＵＲＬ：http://panasonic.co.jp/ptj/v5403/pdf/p0104.pdf＞
【発明の概要】
【発明が解決しようとする課題】
【０００９】
従来の光ディスク装置の光ピックアップの製造においては、内部のＦＰＣ（Flexible Printed Circuits）のたるみを強制し、光ピックアップ内部に構成される光学部材の保護のために、光ピックアップ上部（光ディスクと対向する面）に、アルミニウムやステンレス鋼材（ＳＵＳ）を使用した金属カバーを用いるのが一般的であった。
【００１０】
しかしながら、金属カバーは、光ピックアップとほぼ同一の面積を保護する形状となり、面積が広く高価になり、光ピックアップの部品点数が増加するという問題点があった。
【００１１】
本発明は、上記問題点を解決するためになされたもので、その目的は、光ディスク装置に用いる光ピックアップの成型において、金属カバーを用いることなく、ＦＰＣのたるみをなくし、光ピックアップ内部に構成される光学部材を保護しうる光ピックアップを提供することにある。
【課題を解決するための手段】
【００１２】
本発明の光ディスク装置では、光ピックアップの筐体の光ディスクと対向する面の少なくとも一部の部分に、ＰＷＢ（プリント配線板）を上部カバーとして使用する。
【００１３】
そして、ＰＷＢ（プリント配線板）により、光ピックアップの内部の部品を密封し、ＦＰＣ（フレキシブル基板）のたわみを抑えるようにする。
【００１４】
また、プリント配線板に、光ピックアップの外部の回路と接続するためのＦＰＣを装着するためのコネクタを設ける。
【発明の効果】
【００１５】
本発明によれば、光ディスク装置に用いる光ピックアップの成型において、金属カバーを用いることなく、ＦＰＣのたるみをなくし、光ピックアップ内部に構成される光学部材を保護しうる光ピックアップを提供することができる。
【図面の簡単な説明】
【００１６】
【図１】本発明の一実施形態に係る光ディスク装置の全体の斜視図である。
【図２】本発明の一実施形態に係る光ディスク装置の全体の上面図である。
【図３Ａ】従来技術に係る光ピックアップの上面図である（その一）。
【図３Ｂ】従来技術に係る光ピックアップの上面図である（その二）。
【図４Ａ】本実施形態に係る光ピックアップの上面図である（その一）。
【図４Ｂ】本実施形態に係る光ピックアップの上面図である（その二）。
【発明を実施するための形態】
【００１７】
以下、本発明に係る一実施形態を、図１ないし図４Ｂを用いて説明する。
先ず、図１および図２を用いて光ディスク装置の構造について説明する。
図１は、本発明の一実施形態に係る光ディスク装置の全体の斜視図である。
図２は、本発明の一実施形態に係る光ディスク装置の全体の上面図である。
【００１８】
本実施形態に係る光ディスク装置は、ノート型ＰＣなどに搭載される薄型（スリムタイプ）のドライブ装置であり、図１に示されるように、トップシャーシ４１とボトムシャーシ４２をはめ合わせたシャーシ部に、排出ボタン４３を押すか、パーソナルコンピュータからのイジェクト操作により、メカニカル機構を動作させて、光ディスクを搭載するトレイ４０を引き出すようになっている。
【００１９】
そして、ＣＤ、ＤＶＤ、ＢＤなどの光ディスクのデータの読み出し、書き込みをおこなうときには、ターンテーブル５１の軸部のチャック５０に、光ディスクを差し込んで装着して、トレイ４０をシャーシ部に入れた状態で、光ピックアップ２の対物レンズ２８よりレーザ光を照射することにより、データの読み出し、書き込みをおこなう。ターンテーブル４は、図示していないがスピンドルモータによりデータの読み出し、書き込み時に回転するようになっている。
【００２０】
図２は、光ディスクＤを差し込んだときを、上面から見たものであり、光ディスクＤの下にある光ピックアップ２の様子も一部切り欠いて図示している。
【００２１】
次に、図３Ａないし図４Ｂを用いて本実施形態の光ディスク装置の光ピックアップの構造について従来技術と対比して説明する。
図３Ａおよび図３Ｂは、従来技術に係る光ピックアップの上面図である。
図４Ａおよび図４Ｂは、本実施形態に係る光ピックアップの上面図である。
【００２２】
図３Ａは、従来技術に係る光ピックアップ２′を上面、すなわち、光ディスクＤと対向する面から見た様子を示したものである。光ピックアップ２′は、主軸を通す穴１３があけられており、図示しないがステッピングモータにより、光ディスクＤのアクセス位置に応じて、ＡＢ方向に移動するようになっている。ここで、Ａ方向が回転の中心に向かう方向であり、Ｂ方向が外周方向である。
【００２３】
従来技術に係る光ピックアップ２′は、ピックアップ筐体１０の中に光学部品８０が配され、ピックアップレンズ２８の周りに長方形の金属カバー１１と、さらに、その長方形の金属カバー１１の二辺に接するようにして、Ｌ字型の金属カバー１２により、内部の光学部品が密封されている。長方形の金属カバー１１は、ピックアップレンズ２８の部分には、孔があけられ、光ディスクＤ方向にレーザ光が照射されるようになっている。
【００２４】
ここで、図３Ｂは、図３ＡのＬ字型の金属カバー１２の一部を切り欠いて、内部の光学部品８０の様子を図示している。
【００２５】
また、光ピックアップ２′は、外部の電気回路と内部の光学部品を接続するために、ＦＰＣ（Flexible Printed Circuits：フレキシブル基板）３が配されている。ＦＰＣ３は、厚み１２μｍから５０μｍのフィルム状の絶縁体（ベースフィルム）の上に接着層を形成し、さらにその上に厚み１２μｍから５０μｍ程度の導体箔を形成した構造であり、柔軟性があり大きく変形させることが可能なプリント基板である。ＦＰＣ３は、端子部やはんだ付け部以外には絶縁体を被せて保護しており、小さい力で繰り返し変形させることが可能であり、変形した場合にもその電気的特性を維持する。ＦＰＣ３の材質としては、絶縁体としてカバーレイと呼ばれるポリイミド膜、あるいはフォトソルダーレジスト膜、導体としては銅が一般的に用いられる。
【００２６】
また、従来技術に係る光ピックアップ２′の金属カバー１２は、光学部品８０を密封すると同時に、このＦＰＣ３を押さえ込んで、たるみをなくす機能も有している。
【００２７】
一方、本実施形態に係る光ピックアップ２は、従来技術に係る光ピックアップ２′と電気的・光学的特性は、同一であるが、実装の方法を変えて、Ｌ字型の金属カバー１２の代わりに、上部カバーとして、同形状のＰＷＢ（Printed Wiring Board：プリント配線板）４を用いたものである。
【００２８】
このＰＷＢ４は、柔軟性のない絶縁体基材を用いた板に配線を施したものであり、ＦＰＣと対比して、リジット基板という言い方もされる。本実施形態に係る光ピックアップ２のＰＷＢ４は、図４Ｂに示されるように、光学部品８０を密封して、異物の侵入を防止すると同時に、ＦＰＣ３を押さえ込んでいる。
【００２９】
ここで、図４Ｂは、図４ＡのＰＷＢ４の一部を切り欠いて、内部の光学部品８０の様子を図示している。
【００３０】
また、ＰＷＢ４は、光ディスクＤの外周方向の向きに、コネクタ５が配されており、外部の電気回路と電気的に接続するためのＦＰＣを装着できるようになっている。さらに、本実施形態のＰＷＢ４による光ピックアップ２の実装においては、ＢＤディスクを読取るときに用いられるドライブ球面収差補正のためにコリメータレンズを動作させるためのステッピングモータ２４の上部は露出されており、光ディスクＤの回転による風の流れにより、冷却されるようになっている。
【００３１】
本実施形態では、Ｌ字型の金属カバー１２の代わりに、同形状のＰＷＢを用いて、実装したために、高価な金属カバーを用いなくてよく、部品点数を削減でき、製造が容易になる。また、コネクタ５を設けて、外部とＦＰＣにより配線するようにしたため、運搬時には、長いケーブル上のＦＰＣを同時に運搬しなくてよく、可搬性に優れているという特徴もある。
【００３２】
なお、本実施形態では、スリムタイプの光ディスク装置の光ピックアップを例に採り、説明したがこれに限定されるものではなく、ハーフハイトタイプなどの他のタイプの光ディスク装置の光ピックアップも適用可能である。
【符号の説明】
【００３３】
Ｄ…光ディスク、１…光ディスク装置、２…光ピックアップ、３…ＦＰＣ、４…ＰＷＢ、５…コネクタ、１０…光ピックアップ筐体、１１…金属カバー、１２…金属カバー、２４…ステッピングモータ、２８…対物レンズ、１３…穴、４１…トップシャーシ、４２…ボトムシャーシ、４３…排出ボタン、５０…チャック、５１…ターンテーブル、８０…光学部品。
【図１】
2013145613.tif 000003
【図２】
2013145613.tif 000004
【図３Ａ】
2013145613.tif 000005
【図３Ｂ】
2013145613.tif 000006
【図４Ａ】
2013145613.tif 000007
【図４Ｂ】
2013145613.tif 000008